Podtech/llm-jp-corpus-v4-ja_patent huggingface dataset:
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
フルオロポリマーを基材に接着させる方法であって、
光吸収化合物と電子供与体とを含む接着組成物をフルオロポリマーと基材との間に提供する工程と、
前記接着組成物を化学線に曝す工程と、
を含む方法。
【請求項２】
複合物品であって、
表面を有するフルオロポリマー、
表面を有する基材、および
前記フルオロポリマーの前記表面と前記基材の前記表面との間に介在する、光吸収化合物と電子供与体とを含む接着組成物、
を含む物品。
【請求項３】
光吸収化合物および電子供与体の組み合わせと化学線とに曝された表面を備え、ポリマー基材に接着させるのに好適な、処理されたフルオロポリマー基材。
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
静止部材と該静止部材に対して相対的に折り畳んだり、広げたりすることができる回転部材を連結するヒンジ装置において、
カムを有するカム部材と、
前記カム部材のカムと相互作用するカム従動部が設けられたカム従動部材と、
前記カム部材と前記カム従動部材の何れか一方を他方に対して押し付けて前記カム従動部材のカム従動部とカム部材のカムが互いに接する状態を維持する弾性部材とを備え、
前記カム部材と前記カム従動部材の何れか一方は、 回転運動が可能であり、
前記カムは、前記カム従動部材との接触により前記回転運動部材の自動回転運動が行われるようにする自動運動領域と、前記カム従動部との接触により自動回転運動が停止されるようにする少なくとも二つの停止位置とを有し、前記構成により、前記静止部材と前記回転部材とが広げられる場合、前記カム部材とカム従動部材とは、少なくとも二つの予め設定された広げられる位置で停止できるように相互作用することを特徴とするヒンジ装置。
【請求項２】
前記カム部材は、前記カム従動部材に向かう側に設けられたカム面を有し、前記カム面は、山頂部と谷部とを有し、前記谷部には、少なくとも二つの停止溝が設けられており、前記停止溝は前記停止位置を形成し、
前記カム従動部材は、前記カム面に向かって突出された突起を有し、前記突起の端部は、前記停止溝に嵌合できることを特徴とする請求項１に記載のヒンジ装置。
【請求項３】
更にハウジングを備え、前記ハウジング内に前記カム部材と前記従動部材が収容され、前記ハウジングは、前記静止部材と前記回転部材の何れかに結合され、前記カム部材と前記カム従動部材の何れか一方は、前記静止部材と前記回転部材の他方に連結されることを特徴とする請求項２に記載のヒンジ装置。
【請求項４】
前記カム部材と前記カム従動部材の何れか一方の部材には、回転軸線に沿って延びている中央案内柱が結合され、前記カム部材と前記カム従動部材の他方の部材には、前記案内柱を挿入する案内孔が設けられていることを特徴とする請求項２または３に記載のヒンジ装置。
【請求項５】
前記カム従動部材は、ハウジングの外側に突出した延長部を備え、前記延長部に固定される連結部材をさらに備えることを特徴とする請求項３に記載のヒンジ装置。
【請求項６】
前記カム部材で少なくとも一つの停止溝は、前記山頂部と前記谷部との間に延びている傾斜カム面上に位置することを特徴とする請求項２、３及び５の何れかに記載のヒンジ装置。
【請求項７】
前記傾斜カム面の端部を過ぎて少なくとも一つの停止溝を設けていることを特徴とする請求項６に記載のヒンジ装置。
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
一方向弁を有する呼吸装置であって、
一方向弁を受け入れるための少なくとも１つの開口を有するフェースマスクを備え、
該一方向弁は、
弁枠に形成された弁開口と、
該弁枠から延在すると共に少なくとも部分的に弁開口を取り囲む弁座と、
弁枠に取り付けられた第１の部分と、弁座に接する第１の位置から少なくとも一部が弁座から離間する第２の位置へ移動自在な隣接する第２の部分と、を有する弁フラップと、を備え、
弁フラップは、該弁フラップと弁座との間の封止を提供するべく弁座の方向に弁フラップのバイアスを生じさせる湾曲を有し、
弁フラップの第２の部分が第１の位置にあるときに、弁フラップの湾曲は、少なくとも部分的に平坦になる、呼吸装置。
【請求項２】
上記弁座は略平坦である、請求項１記載の呼吸装置。
【請求項３】
上記弁座に対する上記弁フラップのバイアスは、上記一方向弁の任意の向きにおける弁座と弁フラップとの間の封止を提供するのに十分である、請求項１記載の呼吸装置。
【請求項４】
上記弁フラップの厚さは、上記第２の部分よりも上記第１の部分において大きい、請求項１記載の呼吸装置。
【請求項５】
上記弁フラップの厚さは、上記第２の部分よりも上記第１の部分において大きく、
上記弁フラップの厚さは、第１の部分から第２の部分に向けて徐々にテーパ状をなしている、請求項１記載の呼吸装置。
【請求項６】
上記弁フラップの厚さは、上記第１の部分よりも上記第２の部分において大きい、請求項１記載の呼吸装置。
【請求項７】
上記弁フラップの厚さは、上記第１の部分よりも上記第２の部分において大きく、
上記弁フラップの厚さは、第２の部分から第１の部分に向けて徐々にテーパ状をなしている、請求項１記載の呼吸装置。
【請求項８】
上記フェースマスクは半面面体呼吸装置である、請求項１記載の呼吸装置。
【請求項９】
上記フェースマスクは、通気性を有するフィルタリング材からなるマスク本体を備え、
上記開口は、マスク本体に形成されている、請求項１記載の呼吸装置。
【手続補正書】
【提出日】平成17年5月11日(2005.5.11)
【手続補正１】
【補正対象書類名】明細書
【補正対象項目名】００１４
【補正方法】変更
【補正の内容】
【００１４】
図２に示すように、好ましい実施形態においては、保護カバー２０は、ラップとして構成される。該ラップは、外側面２２および内側面２４、対向長手方向縁部２６、２８および対向端部２７、２９を有する細長いシートに形成される。この織布シートは単一層であり、好ましくは、重さは１平方ヤード当たり約５〜８オンスである。縁部２６、２８および端部２７、２９は、ほつれを防止するため、裾を折り返して縫い合わせられる。縦糸および横糸は、望ましくは約４００〜１，０００デニールの範囲であり、縦糸ピックおよび横糸ピックは１インチ当たり約３０〜３６本の範囲の糸からなる。しかし、可能なデニールおよび１インチ当たりのピックの範囲はこれらに限定されるものではない。当業者に周知の通り、折り目の詰まり具合を変更した、軽いまたは重い布を、特殊な用途に使用される保護カバーを構成するために選択してもよい。同様に、織布は、必ずしも１種類の糸によって形成される必要はない。例えば、保護カバー２０に水平軸方向に引っ張り応力をかけて「クリープ」または伸びを作り出すことができる用途においては、布をＳＰＥＣＴＲＡ（登録商標）の構造に最大３０％までＫＥＬＶＡＲ（登録商標）を含めた混合糸で作製することができる。すなわち、このような高強度繊維を約３０％まで混紡した糸、または糸の端の約３０％までが高強度フィラメントのみによって形成される混紡糸も許容可能な組み合わせを提供する。クリープを減少させるためには、ＳＰＥＣＴＲＡ（登録商標）とＫＥＶＬＡＲ（登録商標）との混紡が、極めて有効であることが知られている。さらに、コストがカギとなり、摩耗性がそれほど厳しい条件でない場合は、ポリエステルおよびナイロン等のより従来型の繊維を少量代用してもよい。このような構成では、予想されるように、耐性特性は低下する。当業者に周知の通り、本発明の布は、編んで作製してもよく、また織物の技術分野で従来より周知の他の方法で作製してもよい。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
感圧接着剤成分と、
前記感圧接着剤成分内のミニ微小繊維質有機高分子強化材料と、
を含む感圧接着剤繊維であって、
前記感圧接着剤繊維を含むとともに約５５ｇ／ｍ２の坪量を有する不織ウェブが、降伏点荷重の少なくとも約１５０％である少なくとも約３０ｇ／ｃｍの最大荷重および少なくとも約５０％の破断点伸びを有することを特徴とする感圧接着剤繊維。
【請求項２】
前記ミニ微小繊維質有機高分子強化材料が実質的に連続のミニ微小繊維を含む、請求項１に記載の感圧接着剤繊維。
【請求項３】
感圧接着剤成分と、
前記感圧接着剤成分内のメタロセン触媒型ポリオレフィンを含む強化材料と、
を含む感圧接着剤繊維であって、
前記感圧接着剤繊維を含むとともに約５５ｇ／ｍ２の坪量を有する不織ウェブが、降伏点荷重の少なくとも約１５０％である少なくとも約３０ｇ／ｃｍの最大荷重および少なくとも約５０％の破断点伸びを有することを特徴とする、感圧接着剤繊維。
【請求項４】
約６０重量％〜約９５重量％の感圧接着剤成分および約５重量％〜約４０重量％のミニ微小繊維質有機高分子強化材料を含む、請求項１〜３のいずれかに記載の感圧接着剤繊維。
【請求項５】
前記感圧接着剤成分が、合成ゴム、スチレンブロックコポリマー、ポリビニルエーテル、ポリ（メタ）アクリレート、ポリオレフィン、シリコーンまたはそれらの組み合わせを含む、請求項１に記載の感圧接着剤繊維。
【請求項６】
前記感圧接着剤成分が、架橋アクリレートコポリマーであって、少なくとも一種のモノエチレン系不飽和アルキル（メタ）アクリレートモノマー、前記アルキル（メタ）アクリレートモノマーのホモポリマーガラス転移温度よりも高いホモポリマーガラス転移温度を有する少なくとも一種のモノエチレン系不飽和ラジカル共重合性強化モノマーを含む共重合モノマーを有する架橋アクリレートコポリマーを含む、請求項１に記載の感圧接着剤繊維。
【請求項７】
請求項１〜６のいずれかに記載の感圧接着剤繊維を含む不織ウェブ。
【請求項８】
その上に配置された請求項７記載の不織布を有する少なくとも一つの表面を有する剥離ライナー。
【請求項９】
第１の側と第２の側とを有する裏地と、
該裏地の第１の側の少なくとも一部および任意に該裏地の第２の側の少なくとも一部の上に配置された請求項７に記載の感圧接着剤繊維を含む不織ウェブと、
を含むテープ。
【請求項１０】
請求項１〜６のいずれかに記載の感圧接着剤繊維を含む伸縮性除去可能物品および／または医療用物品。
【請求項１１】
剪断力および／または伸び力に供された時にミニ微小繊維を形成できる強化材料入りの感圧接着剤を含む溶融混合物を形成する工程と、
感圧接着剤繊維を形成するために前記溶融混合物を剪断力および／または伸び力に供する工程と、
前記感圧接着剤繊維を冷却する工程と、
を含む請求項１または２に記載のミニ微小繊維質強化接着剤繊維を製造する方法。
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
一対の軸線方向に離間した凸面をもつスオッシュブロック及びスオッシュブロックの凸面を受ける係合対の軸線方向に離間した凹面をもつサドルを有し、前記係合凸面と凹面との間に軸受材料を備えた可変変位軸ピストンポンプ用サドル軸受ライナーにおいて、一方の対の係合凹面と凸面の間の軸受材料が他方の対の係合凹面と凸面の間の軸受材料と一体であり、前記軸受材料と同じ材料の中央部分が前記二対の係合凹面と凸面の間にある軸受材料と接合しかつ一体であり、中央部分の内面及び外面の少なくとも一方が前記二対の係合凹面と凸面の間にある軸受材料の隣接した面から半径方向にオフセットされ、前記オフセットした面が前記軸受けライナーの外側に位置し、前記サドルの凹部内に嵌合し、また前記オフセットした面と前記軸受材料の隣接面との間に少なくとも一つの突起部が形成され、前記突起部がハウジングの表面に係合して前記サドルの前記凹面の軸線に対して前記ライナーの傾斜を防止することを特徴とするサドル軸受ライナー。
【請求項２】
前記二つの突起部がライナーの前記中央部分の各側に一つずつ形成されていることを特徴とする請求項１に記載のサドル軸受ライナー。
【請求項３】
ライナーの少なくとも一つの面が前記面から半径方向に突出する突起部を備えていることを特徴とする請求項１に記載のサドル軸受ライナー。
【請求項４】
前記突起部がライナーの凸面から突出していることを特徴とする請求項３に記載のサドル軸受ライナー。
【請求項５】
前記突起部がライナーの凹状摺動面と反対側の前記凸面から突出していることを特徴とする請求項４に記載のサドル軸受ライナー。
【請求項６】
一対の軸線方向に離間した凸面をもつスオッシュブロック及びスオッシュブロックの凸面を受ける係合対の軸線方向に離間した凹面をもつサドルを有し、前記係合凸面と凹面との間に軸受材料を備えた可変変位軸ピストンポンプ用サドル軸受ライナーにおいて、一方の対の係合凹面と凸面の間の軸受材料が他方の対の係合凹面と凸面の間の軸受材料と一体であり、ライナーの少なくとも一つの面が、前記ポンプによって発生した正圧に対して反応するライナーの凹状摺動面と反対側のライナーの凸面から半径方向に突出する突起部を備えていることを特徴とするサドル軸受ライナー。
【請求項７】
前記突起部が中空であり、かつ前記摺動反応面に開いていることを特徴とする請求項６に記載のサドル軸受ライナー。
【請求項８】
一対の軸線方向に離間した凸面をもつスオッシュブロック及びスオッシュブロックの凸面を受ける係合対の軸線方向に離間した凹面をもつサドルを有し、前記係合凸面と凹面との間に軸受材料を備えた可変変位軸ピストンポンプ用サドル軸受ライナーにおいて、一方の対の係合凹面と凸面の間の軸受材料が他方の対の係合凹面と凸面の間の軸受材料と一体であり、ライナーの少なくとも一つの面が、ライナーの面から半径方向に突出する中空突起部を備え、そしてライナーの摺動面に開いていることを特徴とするサドル軸受ライナー。
【請求項９】
一対の軸線方向に離間した凸面をもつスオッシュブロック及びスオッシュブロックの凸面を受ける係合対の軸線方向に離間した凹面をもつサドルを有し、前記係合凸面と凹面との間に軸受材料を備えた可変変位軸ピストンポンプ用サドル軸受ライナーにおいて、一方の対の係合凹面と凸面の間の軸受材料が他方の対の係合凹面と凸面の間の軸受材料と一体であり、ライナーの少なくとも一つの面が、前記面から半径方向に突出する突起部を備え、前記突起部がハウジングの凹部に嵌合することを特徴とするサドル軸受ライナー。
【請求項１０】
前記凹部が加圧流体と連通し、また前記突起部が中空であり、かつライナーの軸受面に開いていることを特徴とする請求項９に記載のサドル軸受ライナー。
【手続補正書】
【提出日】平成16年10月28日(2004.10.28)
【手続補正１】
【補正対象書類名】特許請求の範囲
【補正対象項目名】請求項１
【補正方法】変更
【補正の内容】
【請求項１】
トンネル型テントであって、該テントが、少なくとも１つのアーチ（４）を有しており、該アーチ（４）に、対応配置された保持手段（３）によってシート（２）が配置されており、場合によっては案内されており、互いに第１の間隔（ｌ１）を置いて両アーチ端部（６，７）を底面に固定する装置を有しており、前記間隔（ｌ１）が、互いに向かい合って位置するテント側面の範囲に設けられた、アーチ（４）の２つの極点（８，９）の間の第２の間隔（ｌ２）よりも小さくなっている形式のものにおいて、保持手段の端部が、極点に係合しており、この点から外側方向へ向けられていることを特徴とする、トンネル型テント。
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
一般式(I):
【化１】
2004533552.tif 000001
［式中、ＡはＲ−ＣＯＯ基（ここで、Ｒは飽和で、分枝状または非分枝状のＣ７−２１アルキル基である）を表わし、Ｂは（ＣｎＨ２ｎＯ）ｋ基（ここで、ｎは２〜４の整数でありｋは１〜１５の値を有する）を表わし、Ｃは少なくて２個、多くて６個の炭素原子（１個またはそれ以上の酸素原子により遮断されていてもよい）を含む直鎖または分枝状アルキレン基である。］
に相当するポリオレフィン含有合成繊維用の内部親水性化添加剤。
【請求項２】
式(I)において、Ｒが炭素数９〜１３の飽和の直鎖アルキル基であることを特徴とする請求項１に記載の親水性化添加剤。
【請求項３】
式(I)において、ｋが１〜１５の値を有することを特徴とする請求項１または２に記載の親水性化添加剤。
【請求項４】
式(I)において、ＣがＣＨ２−ＣＨ２、ＣＨ２−ＣＨ（ＣＨ３）、ＣＨ２−ＣＨ２−ＣＨ２または（ＣＨ２）４基を表わすことを特徴とする請求項１〜３のいずれかに記載の親水性化添加剤。
【請求項５】
式(I)において、ＣがＣＨ２−ＣＨ２−Ｏ−ＣＨ２−ＣＨ２−Ｏ基を表わすことを特徴とする請求項１〜４のいずれかに記載の親水性化添加剤。
【請求項６】
式(I)において、ｎが２の値を有することを特徴とする請求項１〜５のいずれかに記載の親水性化添加剤。
【請求項７】
式(I)において、Ｒが炭素数９の直鎖アルキル基であり、ｋが５の値を有し、ｎが２の値を有し、ＣがＣＨ２−ＣＨ２（ＣＨ３）基であることを特徴とする請求項１〜４のいずれかに記載の親水性化添加剤。
【請求項８】
式(I)において、Ｒが炭素数１１の直鎖アルキル基であり、ｋが５の値を有し、ｎが２の値を有し、ＣがＣＨ２−ＣＨ２（ＣＨ３）基であることを特徴とする請求項１〜４のいずれかに記載の親水性化添加剤。
【請求項９】
式(I)において、Ａが炭素数７〜２１の飽和で、分枝状または非分枝状のアルキル基、ＢがC3H6基、ＣがＣＨ２−ＣＨ２−Ｏ−ＣＨ２−ＣＨ２−Ｏ基であることを特徴とする請求項１〜４のいずれかに記載の親水性化添加剤。
【請求項１０】
式(I)の化合物が１２℃未満の低温曇り点を有することを特徴とする請求項１〜９のいずれかに記載の親水性化添加剤。
【請求項１１】
式(I)の化合物が５℃未満の低温曇り点を有することを特徴とする請求項１〜１０のいずれかに記載の親水性化添加剤。
【請求項１２】
式(I)において、Ｂがエチレンオキシド基とプロピレンオキシド基の混合物を表わすことを特徴とする請求項１〜１１のいずれかに記載の親水性化添加剤。
【請求項１３】
式(I)において、Ｂがプロピレンオキシド基を表わすことを特徴とする請求項１〜１１のいずれかに記載の親水性化添加剤。
【請求項１４】
エタン-1、2-ジオール、プロパン-1,2-ジオール、プロパン-1,3-ジオールおよびブタン-1,4-ジオールよりなる群から選ばれるジオール、またはジエチレングリコール或いはジプロピレングリコールをエチレンオキシド、プロピレンオキシドおよび／またはブチレンオキシドよりなる群から選ばれるアルコキシドと反応させ、得られた反応生成物を炭素数が８〜２２の直鎖または分枝状の飽和脂肪酸でエステル化することを特徴とする、請求項１に記載の式(I)に相当するポリオレフィン含有合成繊維用親水性化添加剤の製造方法。
【請求項１５】
完全にまたは部分的にポリオレフィンを含有する繊維またはシート成形材料を親水性化するための、請求項１に記載の式(I)に相当する化合物の使用。
【請求項１６】
式(I)に相当する化合物を完全にまたは部分的にポリオレフィンを含有するポリマー顆粒へ該顆粒に基づき０．１〜３０重量％の量で添加し、その後に既知の方法で繊維またはフィルムに加工することを特徴とする、完全にまたは部分的にポリオレフィンを含有する物品の製造方法。
【請求項１７】
式(I)の化合物をポリマー顆粒へ１〜１５重量％の量で添加することを特徴とする請求項１６に記載の方法。
【請求項１８】
押出により得られた生成物を水に接触させ、次いで乾燥することを特徴とする請求項１６または１７に記載の方法。
【請求項１９】
押出により得られた生成物を水に８０〜９０℃で接触させ、または蒸気に接触させることを特徴とする請求項１８に記載の方法。
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
式(I)
[HKR13]+[T1T2]-          （Ｉ）
〔式中、Kは、窒素(N)またはリン(P)原子、R1は互いに同一または異なって、任意にO、S、N、P、Siあるいはハロゲン原子を含有する、線状もしくは分枝状、飽和もしくは不飽和のC1〜C30アルキル、C6〜C20アリール、C7〜C20アリールアルキル、C7〜C20アルキルアリール基で、2つのR1は、任意に、O、S、N、PまたはSi原子を含有し、置換基を有し得る1つのC4〜C7環を形成できる；
R1は線状もしくは分枝状、飽和もしくは不飽和C1〜C30アルキル基が好ましい；T1はT2と錯体を形成するルイス酸であり、T1は式(II)：
MtR23                    (II)
（式中、Mtは元素周期律表(IUPAC)の13族に属する金属、R2は互いに同一または異なって、ハロゲン、ハロゲン化C6〜C20アリールとハロゲン化C7〜C20アルキルアリール基からなる群から選択され、2つのR2基は、金属Mtと1つの縮合環を形成することもできる）
を有し、；T2は式(III)の分子である
【化１】
2004533467.tif 000001
（式中、R3、R4、R5、R6は互いに同一または異なって、水素、ハロゲン、任意にO、S、N、P、Siまたはハロゲン原子を含有し、置換分を有し得る線状もしくは分枝状、飽和もしくは不飽和のC1〜C10アルキル、C6〜C20アリール、C7〜C20アリールアルキルとC7〜C20アルキルアリール基からなる群より選択され；2以上の隣接した置換分R4、R5、R6とR7は、任意に置換分を有してもよい任意にO、S、N、PまたはSi原子を含有する1以上のC4〜C7環を形成し、但し少なくとも１つのR3、R4、R5とR6は水素と異なる）〕
の塩。
【請求項２】
T2が式(IV)：
【化２】
2004533467.tif 000002
（式中、置換分R3とR4は請求項１で示した意味、置換分R7は互いに同一または異なり、水素、ハロゲン、任意にO、S、N、P、Siまたはハロゲン原子を含有する線状もしくは分枝状、飽和もしくは不飽和のC1〜C10アルキル、C6〜C20アリール、C7〜C20アリールアルキル、C7〜C20アルキルアリール基、または2以上の隣接した置換分R7は任意にO、S、N、PまたはSi原子を含有する1以上のC4〜C7環を形成し、その環は置換基を有することができる群より選択される）
である請求項１による塩。
【請求項３】
（Ａ）少なくとも１つの遷移金属有機金属化合物と
（Ｂ）式（Ｉ）
[HKR13]+[T1T2]-          （Ｉ）
（K、R1、T2とT1は請求項１の通り）の塩と、任意に
（Ｃ）アルキル化剤
とを接触させて得ることができる生成物からなるオレフィン重合用触媒系。
【請求項４】
請求項３の触媒系の存在下、重合条件下で１以上のオレフィンを接触さすことからなる１以上のオレフィンの重合法。
【手続補正書】
【提出日】平成15年10月29日(2003.10.29)
【手続補正１】
【補正対象書類名】特許請求の範囲
【補正対象項目名】全文
【補正方法】変更
【補正の内容】
【特許請求の範囲】
【請求項１】
免疫学的機構を介するβ細胞の破壊の予防を必要とするヒトの患者に、２型糖尿病の発症前または発症後に、前記予防に有効な量のインスリンを吸入投与するための、インスリン製剤。
【請求項２】
霧状化したエーロゾルの形でインスリンを吸入するためのインスリン溶液を含む、請求項１に記載の製剤。
【請求項３】
インスリンをドライパウダーとして含む、請求項１に記載の製剤。
【請求項４】
噴射剤により定量吸入器から送達された有効量のインスリンを吸入するためのインスリンの溶液または懸濁液を含む、請求項１に記載の製剤。
【請求項５】
患者が２型糖尿病のリスクがある、または２型糖尿病であると診断された時から、糖代謝のコントロールを助けるために外因性インスリン投与が必要となる時までに、吸入インスリンを投与するための請求項１〜4のいずれか1項に記載の製剤。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
テガフール、ウラシル、フォリン酸もしくはその医薬的に許容される塩、およびシクロホスファミドからなる、温血動物における腫瘍の治療剤であって、
テガフールおよびウラシルが、約１：４のモル比でそれぞれ存在し、
テガフールおよびウラシルの組み合わせを、テガフールに基づいて約１００〜５００ ｍｇ／ｍ２／日の投与量で経口投与し、フォリン酸を約０.１〜５００ ｍｇ／ｋｇ／日の投与量で経口投与し、シクロホスファミドを約１０〜５００ ｍｇ／ｍ２／日の投与量で経口投与するように調製された治療剤。
【請求項２】
テガフールおよびウラシルの組み合わせを、テガフールに基づいて約２００ ｍｇ／ｍ２／日の投与量で経口投与し、フォリン酸を約６０または９０ ｍｇ／日の固定の投与量で経口投与し、シクロホスファミドを約１００ ｍｇ／ｍ２／日の投与量で経口投与するように調製された、請求項１の治療剤。
【請求項３】
テガフール、ウラシル、フォリン酸もしくはその医薬的に許容される塩、およびシクロホスファミドをあらかじめ選択される時間の周期で投与するように調製された、請求項１の治療剤。
【請求項４】
該あらかじめ選択される時間の周期が２８日で、さらにテガフール、ウラシル、フォリン酸もしくはその医薬的に許容される塩が１〜２１日に、シクロホスファミドが１〜１４日に投与するように調製された、請求項３の治療剤。
【請求項５】
該あらかじめ選択される時間の周期が少なくとも１回繰り返される、請求項４の治療剤。
【請求項６】
該腫瘍が乳房の腫瘍である請求項１の治療剤。
【請求項７】
該温血動物がヒトである請求項１の治療剤。
【手続補正書】
【提出日】平成15年10月24日(2003.10.24)
【手続補正１】
【補正対象書類名】特許請求の範囲
【補正対象項目名】請求項１
【補正方法】変更
【補正の内容】
【請求項１】
下記化学式１で表示される化合物、その光学異性体、薬理的に許容可能なその塩、又はその溶媒化物。
【化１】
2004533435.tif 000001
前記化学式１で、
Ｎは０、１、２、又は３であり；
Ａは、ＣＯ２Ｈ、ＣＯＮＨＯＨ、又はＣＨ２ＳＨであり；
Ｂは、ニトロ基；アリール基；ヘテロアリール基；ピロール基；ハロゲン元素；Ｎ−低級アルキル基；Ｓ−低級アルキル基；
【化１−１】
2004533435.tif 000002
（ここで、Ｘは水素、炭素数１乃至８の低級アルキル基、炭素数９乃至２０の高級アルキル基、二重結合を含む炭素数９乃至２０の高級アルキル基、アリール基、ヘテロアリール基、ハロゲン元素、Ｏ−低級アルキル基、Ｏ−アリール基、Ｏ−ヘテロアリール基、Ｎ−アリール基、Ｎ−ヘテロアリール基、Ｓ−アリール基、Ｓ−ヘテロアリール基、炭素数１乃至２０のアルキル−アミン誘導体、炭素数１乃至２０のアルキル−カルボン酸誘導体、アミン基、又はニトロ基である）；ＣＯＮＨＲ又はＮＨＣＯＲのアミド化合物；ＮＨＣＯＯＲのカバーメート化合物；ＮＨＣＯＮＨＲのウレア化合物であり（ここで、前記Ｒは、水素、炭素数１乃至８の低級アルキル基、アリール基、ヘテロアリール、４−８員環の環化合物、４−８員環の環化合物が置換された炭素数１乃至８の低級アルキル基、４−８員環のヘテロ環化合物、又は４−８員環のヘテロ環化合物が置換された炭素数１乃至８の低級アルキル基である）；
Ｒは、水素、炭素数１乃至８の低級アルキル基、アリール基、ヘテロアリール、４−８員環の環化合物、４−８員環の環化合物が置換された炭素数１乃至８の低級アルキル基、４−８員環のヘテロ環化合物、又は４−８員環のヘテロ環化合物が置換された炭素数１乃至８の低級アルキル基であり；
Ｚは、酸素、又は硫黄であり、酸素や硫黄である場合には二重結合を有し；
Ｙは、水素；炭素数１乃至８の低級アルキル基；アリール基；ヘテロアリール；４−８員環の環化合物が置換された炭素数１乃至８の低級アルキル基；４−８員環のヘテロ環化合物が置換された炭素数１乃至８の低級アルキル基；ＣＯＮＨＲ又はＮＨＣＯＲのアミド化合物；ＮＨＣＯＯＲのカバーメート化合物；ＮＨＣＯＮＨＲのウレア化合物；二重結合又は三重結合を有する炭素数１乃至８の低級アルキル基；もしくは二重結合又は三重結合又はヒドロキシル基を有する炭素数９乃至２０の高級アルキル基である（ここで、前記Ｒは、水素、炭素数１乃至８の低級アルキル基、アリール基、ヘテロアリール、４−８員環の環化合物、４−８員環の環化合物が置換された炭素数１乃至８の低級アルキル基、４−８員環のヘテロ環化合物、又は４−８員環のヘテロ環化合物が置換された炭素数１乃至８の低級アルキル基である）。
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
生体物質をカプセル封入したヒドロゲル組成物の調製方法であって、
（ａ）イソシアナート官能性ヒドロゲルプレポリマー、生体物質、および前記イソシア
ナート官能性ヒドロゲルプレポリマーと反応する少なくとも２個のチオール基を有する架
橋剤を用意するステップ、
（ｂ）前記イソシアナート官能性ヒドロゲルプレポリマー、前記生体物質、および前記
架橋剤を水溶液中で混合するステップ、および
（ｃ）前記生体物質を重合ヒドロゲル内にカプセル封入して、前記生体物質が生物活性を維持するように、ステップ（ｂ）の混合物を維持するステップ
を含むことを特徴とする方法。
【請求項２】
前記混合物が約６．５と約７．５の間のｐＨに保たれ、かつ前記水溶液が、２種の異なるイソシアナート反応性求核基を有する水溶性二座架橋剤も含有していることを特徴とする請求項１に記載の方法。
【請求項３】
前記チオール官能性架橋剤が、ポリエチレングリコール、ポリプロピレングリコール、またはそのコポリマーを含み、分子量が約２，０００と約６，０００の間にあることを特徴とする請求項１または２に記載の方法。
【請求項４】
前記ヒドロゲルプレポリマーを、基板の予め特定した多数の領域上に繰り返し分配し、アレイとして配列した、個別のスポットを形成し、既知の位置にある前記スポットが、少なくとも２種の異なる生体物質を含有し、そして、前記生体物質が、重合するヒドロゲルに固定化されるためのチオール反応性基を含有することを特徴とする請求項１から３のいずれか１項に記載の方法。
【請求項５】
生体物質をカプセル封入したヒドロゲル組成物であって、
イソシアナート官能性ヒドロゲルプレポリマー、生体物質、および少なくとも２個のチオール基を有する架橋剤を含み、
前記イソシアナート官能性ヒドロゲルプレポリマーが、生理的条件下の水溶液中での前記架橋剤との反応によって、前記生体物質の存在下で架橋されており、前記架橋の結果、前記生体物質が生物活性を維持するような方法で、安定な重合ヒドロゲル内にカプセル封入されていることを特徴とするヒドロゲル組成物。
【請求項６】
前記プレポリマーは、ポリエチレングリコール、ポリプロピレングリコール、またはそのコポリマーを含み、かつ、イソシアネート末端基を有し、前記生体物質が、タンパク質、核酸、生細胞、および分子量が１００と２０００の間にある有機分子からなる群から選択され、そして、前記架橋剤が、ポリエチレングリコール、ポリプロピレングリコール、またはそのコポリマーの主鎖を含み、かつ分子量が約２，０００と約６，０００の間にあることを特徴とする請求項５に記載のヒドロゲル組成物。
【請求項７】
前記安定な重合ヒドロゲルが、光学的に透明であり、かつ、前記生体物質が、タンパク質、核酸、生細胞、および分子量が１００と２０００の間にある有機分子からなる群から選択されることを特徴とする請求項５または６に記載のヒドロゲル組成物。
【請求項８】
請求項５のヒドロゲル組成物が、基体に結合した複数の個別のスポットとして形成され、前記スポットが空間的に配列されてアレイを形成し、かつ複数のスポットが、前記アレイ内の既知の位置に少なくとも２種の異なる生体物質を含有するいくつかのスポットを含むことを特徴とするバイオチップ。
【請求項９】
（ａ）請求項８によるバイオチップを提供するステップ、
（ｂ）バイオチップを分析物溶液に接触させるステップ、および
（ｃ）バイオチップと分析物溶液の相互作用を検出するステップ
を含むことを特徴とするバイオアッセイ。
【請求項１０】
架橋剤が、チオール官能性架橋剤および、１個のチオール基ともう１個の異なるイソシアナート反応性基を有する、システインまたはホモシステインなどの二座架橋剤を含むことを特徴とする請求項５に記載の組成物を形成するためのヒドロゲル重合系。
【手続補正書】
【提出日】平成17年2月17日(2005.2.17)
【手続補正１】
【補正対象書類名】明細書
【補正対象項目名】００８９
【補正方法】変更
【補正の内容】
【００８９】
第７工程：アルギニンとのカップリング
反応スキーム
【化３０】
2004533489.tif 000001
【手続補正２】
【補正対象書類名】明細書
【補正対象項目名】０１０３
【補正方法】変更
【補正の内容】
【０１０３】
第７工程：アルギニンとのカップリング
【化３８】
2004533489.tif 000002
【手続補正３】
【補正対象書類名】明細書
【補正対象項目名】０１０４
【補正方法】変更
【補正の内容】
【０１０４】
第８工程：鹸化
【化３９】
2004533489.tif 000003
【手続補正４】
【補正対象書類名】明細書
【補正対象項目名】０１１１
【補正方法】変更
【補正の内容】
【０１１１】
第７工程：アルギニンとのカップリング
【化４６】
2004533489.tif 000004
【手続補正５】
【補正対象書類名】明細書
【補正対象項目名】０１１２
【補正方法】変更
【補正の内容】
【０１１２】
第８工程：鹸化
【化４７】
2004533489.tif 000005
【手続補正６】
【補正対象書類名】明細書
【補正対象項目名】０１１９
【補正方法】変更
【補正の内容】
【０１１９】
第７工程：アルギニンとのカップリング
【化５４】
2004533489.tif 000006
【手続補正７】
【補正対象書類名】明細書
【補正対象項目名】０１２０
【補正方法】変更
【補正の内容】
【０１２０】
第８工程：鹸化
【化５５】
2004533489.tif 000007
【手続補正８】
【補正対象書類名】明細書
【補正対象項目名】０１２７
【補正方法】変更
【補正の内容】
【０１２７】
第７工程：リシンとのカップリング
【化６２】
2004533489.tif 000008
【手続補正９】
【補正対象書類名】明細書
【補正対象項目名】０１３７
【補正方法】変更
【補正の内容】
【０１３７】
第７工程：アルギニンとのカップリング
反応スキーム
【化７１】
2004533489.tif 000009
【手続補正１０】
【補正対象書類名】明細書
【補正対象項目名】０１４５
【補正方法】変更
【補正の内容】
【０１４５】
第７工程：アルギニンとのカップリング
反応スキーム
【化７９】
2004533489.tif 000010
【手続補正１１】
【補正対象書類名】明細書
【補正対象項目名】０１５３
【補正方法】変更
【補正の内容】
【０１５３】
第７工程：アルギニンとのカップリング
【化８７】
2004533489.tif 000011
【手続補正１２】
【補正対象書類名】明細書
【補正対象項目名】０１５４
【補正方法】変更
【補正の内容】
【０１５４】
第８工程：鹸化
【化８８】
2004533489.tif 000012
【手続補正１３】
【補正対象書類名】明細書
【補正対象項目名】０１６１
【補正方法】変更
【補正の内容】
【０１６１】
第７工程：アルギニンとのカップリング
【化９５】
2004533489.tif 000013
【手続補正１４】
【補正対象書類名】明細書
【補正対象項目名】０１６２
【補正方法】変更
【補正の内容】
【０１６２】
第８工程：鹸化
【化９６】
2004533489.tif 000014
【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
（ａ）リポソームを形成する自己組織化脂質と、
（ｂ）免疫原性モノリポペプチドであって、
（ｉ）該モノリポペプチドのペプチド部分が、癌タンパク質ＭＵＣ Ｉからの少なくとも５個の連続したアミノ酸を含み、
（ｉｉ）前記免疫原性ペプチドが、該ペプチド内に存在するアミノ酸を介して少なくとも１つの脂質に付着しており、
（ｉｉｉ）前記免疫原性ペプチドがリポソーム的に結合しており、これは、該ペプチドの脂質部分がリポソームの脂質二重膜に自然に組み込まれるため、該モノリポペプチドが該リポソーム内に取り込まれることを意味する
免疫原性モノリポペプチドと
を含むリポソーム組成物。
【請求項２】
（ａ）リポソームを形成する自己組織化脂質と、
（ｂ）免疫原性モノリポペプチドであって、
（ｉ）該モノリポペプチドのペプチド部分が、結核、Ｂ型肝炎、及びマラリアから選択される病気に関連するタンパク質からの少なくとも５個の連続したアミノ酸を含み、
（ｉｉ）前記免疫原性ペプチドが、該ペプチド内に存在するアミノ酸を介して少なくとも１つの脂質に付着しており、
（ｉｉｉ）前記免疫原性ペプチドがリポソーム的に結合しており、これは、該ペプチドの脂質部分がリポソームの脂質二重膜に自然に組み込まれるため、該モノリポペプチドが該リポソーム内に取り込まれることを意味する
免疫原性モノリポペプチドと
を含むリポソーム組成物。
【請求項３】
アジュバントをさらに含む請求項１または２に記載の組成物。
【請求項４】
前記アジュバントが、リピドＡとＩＬ−２からなる群から選択される請求項３に記載の組成物。
【請求項５】
前記自己組織化脂質が、マルチラメラ小胞（ＭＬＶ）、オリゴラメラ小胞（ＯＬＶ）、ユニラメラ小胞（ＵＶ）、小型ユニラメラ小胞（ＳＵＶ）、中型ユニラメラ小胞（ＭＵＶ）、大型ユニラメラ小胞（ＬＵＶ）、巨大ユニラメラ小胞（ＧＵＶ）、多小胞（ＭＶＶ）、逆相蒸発法（ＲＥＶ）で作られた単一小胞、逆相蒸発法（ＲＥＶ）で作られたオリゴラメラ小胞、逆相蒸発法（ＲＥＶ）で作られたマルチラメラ小胞（ＭＬＶ−ＲＥＶ）、安定なプルリラメラ小胞（ＳＰＬＶ）、凍結乾燥及び解凍したＭＬＶ（ＦＡＴＭＬＶ）、押出成形法で作製された小胞（ＶＥＴ）、フレンチプレスにより作製された小胞（ＦＰＶ）、融合により作製された小胞（ＦＵＶ）、脱水−再水和小胞（ＤＲＶ）、及びバブルソーム（ＢＳＶ）からなる群から選択されるリポソームを形成する請求項１〜４のいずれかに記載の組成物。
【請求項６】
前記免疫原性ペプチドに付着した脂質が、前記免疫原性ペプチドのＮ末端又はＣ末端のいずれかに配置されている、請求項１〜５のいずれかに記載の組成物。
【請求項７】
前記免疫原性ペプチドに付着した脂質が、ミリスチル分子、パルミトイル分子、又はラウリル分子からなる群から選択される請求項１〜６のいずれかに記載の組成物。
【請求項８】
前記モノリポペプチドが、約９〜約１００アミノ酸を含む請求項１〜７のいずれかに記載の組成物。
【請求項９】
前記モノリポペプチドが、ＭＵＣ Ｉ配列ＧＶＴＳＡＰＤＴＲＰＡＰＧＳＴＡの少なくとも５個の連続したアミノ酸を含む請求項１または請求項３〜８のいずれかに記載の組成物。
【請求項１０】
前記モノリポペプチドが、ＭＵＣ Ｉ配列ＳＧＶＴＳＡＰＤＴＲＰＡＰＧＳＴＡの少なくとも５個の連続したアミノ酸を含む請求項１または請求項３〜８のいずれかに記載の組成物。
【請求項１１】
前記モノリポペプチドが、ＭＵＣ Ｉ配列ＳＴＡＰＰＡＨＧＶＴＳＡＰＤＴＲＰＡＰＧＳＴＡＰＰの少なくとも５個の連続したアミノ酸を含む請求項１または請求項３〜８のいずれかに記載の組成物。
【請求項１２】
前記モノリポペプチドが、ＭＵＣ Ｉ配列ＳＧＶＴＳＡＰＤＴＲＰＡＰＧＳＴＡＰＰＡＨＧＶＴＳＡＰＤＴＲＰＡＰＧＳＴＡＰＰＡＨＧＶＳＳＬ（配列番号１）の少なくとも５個の連続したアミノ酸を含む請求項１または請求項３〜８のいずれかに記載の組成物。
【請求項１３】
前記モノリポペプチドが、結核ペプチド配列ＤＱＶＨＦＱＰＬＰＰＡＶＶＫＬＳＤＡＬＩＫ（配列番号２）の少なくとも５個の連続したアミノ酸を含む請求項２〜８のいずれかに記載の組成物。
【請求項１４】
前記モノリポペプチドが、Ｂ型肝炎ペプチド配列ＩＲＴＰＰＡＹＲＰＰＮＡＰＩＬＫ（配列番号３）の少なくとも５個の連続したアミノ酸を含む請求項２〜８のいずれかに記載の組成物。
【請求項１５】
前記モノリポペプチドが、マラリアペプチド配列ＶＴＨＥＳＹＱＥＬＶＫＫＬＥＡＬＥＤＡＶＫ（配列番号４）の少なくとも５個の連続したアミノ酸を含む請求項２〜８のいずれかに記載の組成物。
【請求項１６】
請求項１〜１５のいずれかに記載の組成物を含むワクチン。
【請求項１７】
医薬の調製のための請求項１６に記載のワクチンの使用。
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
治療上有効な量の式（Ｉ）：
【化１】
2004533415.tif 000001
［式中
フェニルは、フッ素、塩素、臭素およびヨウ素よりなる群から選択される１ないし５個のハロゲン原子でＸで置換され；ならびに
Ｒ1およびＲ2は水素およびＣ1−Ｃ4アルキルよりなる群から独立に選択され；ここでＣ1−Ｃ4アルキルはフェニルで場合によっては置換される（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）］
の化合物を含んで成る、双極性障害の予防もしくは治療のための医薬組成物。
【請求項２】
Ｘが塩素である、請求項１記載の組成物。
【請求項３】
Ｘがフェニル環のオルト位で置換される、請求項１記載の組成物。
【請求項４】
Ｒ1およびＲ2が水素から選択される、請求項１記載の組成物。
【請求項５】
治療上有効な量の式（Ｉ）の１種の鏡像異性体、もしくは式（Ｉ）の一方の鏡像異性体が優勢を占める鏡像異性体の混合物：
【化２】
2004533415.tif 000002
［式中
フェニルは、フッ素、塩素、臭素およびヨウ素よりなる群から選択される１ないし５個のハロゲン原子でＸで置換され；ならびに
Ｒ1およびＲ2は水素およびＣ1−Ｃ4アルキルよりなる群から独立に選択され；ここでＣ1−Ｃ4アルキルはフェニルで場合によっては置換される（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される］
を含んで成る、双極性障害の予防もしくは治療のための医薬組成物。
【請求項６】
Ｘが塩素である、請求項５記載の組成物。
【請求項７】
Ｘがフェニル環のオルト位で置換される、請求項５記載の組成物。
【請求項８】
Ｒ1およびＲ2が水素から選択される、請求項５記載の組成物。
【請求項９】
式（Ｉ）の一方の鏡像異性体が約９０％もしくはそれ以上の程度まで優勢を占める、請求項５記載の組成物。
【請求項１０】
式（Ｉ）の一方の鏡像異性体が約９８％もしくはそれ以上の程度まで優勢を占める、請求項５記載の組成物。
【請求項１１】
式（Ｉ）の鏡像異性体が、式（Ｉａ）：
【化３】
2004533415.tif 000003
［式中
フェニルは、フッ素、塩素、臭素およびヨウ素よりなる群から選択される１ないし５個のハロゲン原子でＸで置換され；ならびに
Ｒ1およびＲ2は水素およびＣ1−Ｃ4アルキルよりなる群から独立に選択され；ここでＣ1−Ｃ4アルキルはフェニルで場合によっては置換される（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）］
の鏡像異性体である、請求項５記載の組成物。
【請求項１２】
Ｘが塩素である、請求項１１記載の組成物。
【請求項１３】
Ｘがフェニル環のオルト位で置換される、請求項１１記載の組成物。
【請求項１４】
Ｒ1およびＲ2が水素から選択される、請求項１１記載の組成物。
【請求項１５】
式（Ｉａ）の一方の鏡像異性体が約９０％もしくはそれ以上の程度まで優勢を占める、請求項１１記載の組成物。
【請求項１６】
式（Ｉａ）の一方の鏡像異性体が約９８％もしくはそれ以上の程度まで優勢を占める、請求項１１記載の組成物。
【請求項１７】
式（Ｉ）の鏡像異性体が、式（Ｉｂ）：
【化４】
2004533415.tif 000004
の鏡像異性体である、請求項５記載の組成物。
【請求項１８】
式（Ｉｂ）の一方の鏡像異性体が約９０％もしくはそれ以上の程度まで優勢を占める、請求項１７記載の組成物。
【請求項１９】
式（Ｉｂ）の一方の鏡像異性体が約９８％もしくはそれ以上の程度まで優勢を占める、請求項１７記載の組成物。
【請求項２０】
双極性障害が、双極Ｉ型障害、双極ＩＩ型障害、循環病、急速交代型、超概日性交代型、双極性うつ病、急性躁病、躁病、混合型躁病、軽躁病、および双極性障害に関連するエピソードよりなる群から選択される、請求項１もしくは５記載の組成物。
【請求項２１】
治療上有効な量が約０．０１ｍｇ／ｋｇ／用量ないし約１００ｍｇ／ｋｇ／用量である、請求項１もしくは５記載の組成物。
【請求項２２】
組成物が、治療上有効な量の式（Ｉ）の１種の鏡像異性体もしくは式（Ｉ）の一方の鏡像異性体が優勢を占める鏡像異性体の混合物を含んで成る、双極性障害の進行を遅らせるもしくは遅延させる組成物である、請求項１もしくは５記載の組成物。
【請求項２３】
治療上有効な量が約０．０１ｍｇ／ｋｇ／用量から約１００ｍｇ／ｋｇ／用量までである、請求項２２記載の組成物。
【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
マラリアの治療または予防に使用するための以下の一般式で表される化合物。
【化１】
2004533418.tif 000001
（式中、
Ｒが、ジメチルアミノまたはジエチルアミノであり、
Ｘが、クロロ、フルオロ、ヨード、ブロモ、トリフルオロメチル、メトキシおよびメチルからなる群から選択される。）
【請求項２】
マラリアの治療または予防に使用するための以下の式で表される請求項１に記載の化合物。
【化２】
2004533418.tif 000002
【請求項３】
塩化水素塩として調製された請求項１または２に記載の化合物。
【請求項４】
リン酸塩として調製された請求項１または２に記載の化合物。
【請求項５】
請求項１〜４のいずれかに記載の化合物の非毒性代謝産物。
【請求項６】
請求項１〜５のいずれかに記載の化合物を活性成分として含む、マラリアの治療または予防のための医薬製剤。
【請求項７】
マラリアの治療または予防に用いる薬剤を製造するのに使用する請求項１〜５のいずれかに記載の化合物または薬学的に活性なその塩。
【請求項８】
マラリアのクロロキン耐性株の治療または予防に用いる薬剤を製造するのに使用する請求項１〜５のいずれかに記載の化合物または薬学的に活性なその塩。
【手続補正書】
【提出日】平成17年4月7日(2005.4.7)
【手続補正１】
【補正対象書類名】特許請求の範囲
【補正対象項目名】全文
【補正方法】変更
【補正の内容】
【特許請求の範囲】
【請求項１】
下記式Ｉ
【化１】
2004533450.tif 000001
（式中、
Ｒ1は、炭素数６〜１０のアリール、炭素数５〜１０のヘテロアリール、および炭素数５〜１０のシクロアルキル（該アリール、ヘテロアリール、シクロアルキルは、１〜３個の基Ｒaで任意に置換される）から選択され、
Ｒ2およびＲ3は、互いに同じであっても異なっていてもよく、塩素、臭素、炭素数１〜４のアルキル、炭素数３〜４のシクロアルキル、炭素数２〜４のアルケニル、および炭素数２〜４のアルキニルから選択され、
Ｒ4は、ハロゲン、−ＯＨ、−ＳＨ、−ＮＨ2、および−ＮＨ（Ｃ1〜4）から選択され、
Ｒ5は、−ＣＯ2Ｈ、−ＰＯ（ＯＨ）2、−ＰＯ（ＯＨ）ＮＨ2、−ＳＯ2ＯＨ、ＣＯＣＯ2Ｈ、および−ＣＯＮＨＯＨから選択され、
Ｒaは、水素、ハロゲン、炭素数１〜４のアルキル、炭素数２〜４のアルケニル、炭素数２〜４のアルキニル、炭素数１〜４のアルコキシ、炭素数１〜４のアルキルチオ、−ＣＮ、−ＮＯ2、ＮＨ2、−ＮＨ（Ｃ1〜4）、および−Ｎ（Ｃ1〜4）2から選択され、
ｎは１または２である）
に記載の化合物、あるいはそれらの塩、生物学的等価体、立体異性体、放射性誘導体、またはプロドラッグエステル形態（それらの考え得る立体異性体、それらのプロドラッグエステル形態、およびそれらの放射性形態はすべて、上記可変体に関して包含される）。
【請求項２】
Ｒ5は−ＣＯ2Ｈである、請求項１に記載の化合物。
【請求項３】
nは１である、請求項２に記載の化合物。
【請求項４】
Ｒ3およびＲ4は臭素である、請求項２に記載の化合物。
【請求項５】
Ｒ3およびＲ4は臭素であり、かつｎは１である、請求項１に記載の化合物。
【請求項６】
ｎは１である、請求項４に記載の化合物。
【請求項７】
２−アミノ−３−［３，５−ジブロモ−４−（３−ブロモベンジルオキシ）フェニル］プロピオン酸、
２−アミノ−３−［３，５−ジブロモ−４−（３−トリフルオロメチルベンジルオキシ）フェニル］プロピオン酸、
２−アミノ−３−［３，５−ジブロモ−４−（３，５−ジメチルベンジルオキシ）フェニル］プロピオン酸、
３−［３，５−ジブロモ−４−（ナフタレン−２−イルメトキシ）フェニル］−２−ヒドロキシプロピオン酸、
３−［３，５−ジブロモ−４−（３−ブロモベンジルオキシ）フェニル］−２−ヒドロキシプロピオン酸、
３−［３，５−ジブロモ−４−（３−ブロモベンジルオキシ）フェニル］−２−クロロプロピオン酸、
３−［３，５−ジブロモ−４−（ピリジン−２−イルメトキシ）フェニル］−２−ヒドロキシプロピオン酸、
２−アミノ−３−［４−（ビストリフルオロメチルベンジルオキシ）−３，５−ジブロモフェニル］プロピオン酸、
２−アミノ−３−［３，５−ジブロモ−４−（ピリジン−２−イルメトキシ）フェニル］プロピオン酸トリエチルアンモニウム、
２−アミノ−３−［３，５−ジブロモ−４−（３−トリフルオロメトキシベンジルオキシ）フェニル］プロピオン酸トリエチルアンモニウム、
２−アミノ−３−［３，５−ジブロモ−４−（３−フルオロ−５−トリフルオロメトキシベンジルオキシ）フェニル］プロピオン酸トリエチルアンモニウム、
２−アミノ−３−［３，５−ジブロモ−４−（３−フルオロベンジルオキシ）フェニル］プロピオン酸トリエチルアンモニウム、
２−アミノ−３−［３，５−ジブロモ−４−（３，５−ジフルオロベンジルオキシ）フェニル］プロピオン酸トリエチルアンモニウム、
２−アミノ−３−｛３，５−ジブロモ−４−［３−（ジフルオロメトキシ）ベンジルオキシ］フェニル｝プロピオン酸トリエチルアンモニウム、
２−アミノ−３−［３，５−ジブロモ−４−（ピリジン−４−イルメトキシ）フェニル］プロピオン酸トリエチルアンモニウム、
２−アミノ−３−［３，５−ジブロモ−４−（５−メチルイソキサゾール−３−イルメトキシ）フェニル］プロピオン酸、
２−アミノ−３−［３，５−ジブロモ−４−（３，５−ジクロロベンジルオキシ）フェニル］プロピオン酸トリエチルアンモニウム、
２−アミノ−３−［３，５−ジブロモ−４−（２−フルオロベンジルオキシ）フェニル］プロピオン酸、
２−アミノ−３−［３，５−ジブロモ−４−（２−メチルチアゾール−４−イルメトキシ）フェニル］プロピオン酸トリエチルアンモニウム、
２−アミノ−３−［３，５−ジブロモ−４−（３−クロロベンジルオキシ）フェニル］プロピオン酸トリエチルアンモニウム、
２−アミノ−３−［３，５−ジブロモ−４−（２−クロロベンジルオキシ）フェニル］プロピオン酸トリエチルアンモニウム、
２−アミノ−３−［３，５−ジブロモ−４−（３−ヨードベンジルオキシ）フェニル］プロピオン酸、ならびに
それらの薬学的に許容可能な塩、生物学的等価体、および立体異性体である、請求項１〜
６のいずれか１項に記載の化合物。
【請求項８】
１つまたは複数の不斉中心を有し、ラセミ体、単一または複数の鏡像異性体の形態で、あるいはジアステレオマーとして存在することができる、請求項１〜７のいずれか１項に記載の化合物。
【請求項９】
内科療法において使用するための、請求項１〜８のいずれか１項に記載の化合物を含む医薬組成物。
【請求項１０】
薬学的に許容可能なキャリアとともに、有効量の請求項１〜８のいずれか１項に記載の化合物を含む医薬組成物。
【請求項１１】
Ｔ3調節遺伝子の発現に依存する疾患または障害の治療用の、請求項１〜８のいずれか１項に記載の化合物を含む薬剤。
【請求項１２】
前記疾患または障害は、心臓血管障害、甲状腺中毒症、無症状甲状腺機能亢進症、皮膚障害または疾患、あるいは肝臓障害または疾患である、請求項１１に記載の薬剤。
【請求項１３】
前記疾患または障害は、心房性細動、心室性頻拍、または心室性細動である、請求項１１に記載の薬剤。
【請求項１４】
前記疾患または障害は、甲状腺中毒症、無症状甲状腺機能亢進症、または他の甲状腺ホルモン関連内分泌障害である、請求項１１に記載の薬剤。
【請求項１５】
前記疾患または障害は、慢性アルコール症、急性肝炎、慢性肝炎、Ｃ型肝炎誘発性肝硬変、または肝線維症である、請求項１１に記載の薬剤。
【請求項１６】
無酸素性皮膚損傷の治療用の、請求項１〜８のいずれか一項に記載の化合物を含む薬剤。
【請求項１７】
請求項１〜８のいずれか一項に記載の化合物の標識体を含む診断剤。